(57)【特許請求の範囲】
【請求項１】
筐体を開閉可能に構成した携帯端末装置であって、
前記筐体の開閉を検出する筐体開閉検出手段と、
前記電源をオンまたはオフに制御する電源スイッチ手段と、
前記携帯端末装置の電源の状態を検出する電源状態検出手段と、
前記電源スイッチ手段が前記電源をオフに制御し、前記電源状態検出手段が電源がオフであると検出すると共に、前記筐体開閉検出手段が前記筐体が閉じた状態から開いた状態に変化したことを検出すると、前記電源をオフからオンに制御する自動電源制御手段と、
を備える携帯端末装置。
【請求項２】
所定時間を計測する計時手段を備え、
前記自動電源制御手段は、前記筐体開閉検出手段により前記筐体が閉じた状態から開いた状態となったことが検出されたときに、前記計時手段による計時を開始させ、前記筐体が開いた状態が維持されたまま前記計時手段により所定時間が計時されたときに、前記電源をオフからオンに制御する、
請求項１に記載の携帯端末装置。
【請求項３】
前記電源スイッチ手段は、前記筐体を開いた状態のときに露出し、閉じた状態のときに内側に位置することを特徴とする
請求項１または請求項２いずれか一項に記載の携帯端末装置。
【請求項４】
開閉可能な筐体で構成された携帯端末装置の電源を制御する電源制御方法であって、
前記筐体の開閉を検出する筐体開閉検出ステップと、
前記電源をオンまたはオフに制御する電源スイッチステップと、
前記携帯端末装置の電源の状態を検出する電源状態検出ステップと、
前記電源スイッチステップが前記電源をオフに制御し、前記電源状態検出ステップが電源がオフであると検出すると共に、前記筐体開閉検出ステップが前記筐体が閉じた状態から開いた状態に変化したことを検出すると、前記電源をオフからオンに制御する自動電源制御ステップと、
を有する電源制御方法。
【請求項５】
所定時間を計測する計時ステップを含み、
前記自動電源制御ステップは、前記筐体開閉検出ステップにより前記筐体が閉じた状態から開いた状態となったことが検出されたときに、前記計時ステップによる計時を開始させ、前記筐体が開いた状態が維持されたまま前記計時ステップにより所定時間が計時されたときに、前記電源をオフからオンに制御する、
請求項４に記載の電源制御方法。
【発明の詳細な説明】
【０００１】
【発明の属する技術分野】
本発明は携帯電話装置等の携帯端末装置に関し、特に折り畳み式の携帯端末装置における電源スイッチの制御に関する。
【０００２】
【従来の技術】
近年、携帯電話装置の普及にはめざましいものがあり、その中でも折り畳み式の携帯電話装置の割合は年々多くなっている。折り畳み式の携帯電話装置は、筐体を開いた際の表示部や操作部の面積を大きくとれて使い易いこと、折り畳んだ際に極めてコンパクトになって持ち運びに至便となることなどから、多く好まれる傾向にある。
【０００３】
折り畳み式の携帯電話装置は、上下２つの筐体をヒンジでつなげて折り曲げ可能な構成になっており、開いた際に筐体表面に表示部、電源スイッチを含む操作ボタン、レシーバ、マイクロホン等が露出し、折り畳んだ際にこれらが内側に収まるような配置構成になっている。
【０００４】
この折り畳み式携帯電話装置を待ち受け状態で持ち歩いたりするときには、電源スイッチはオン状態のままで筐体を閉じた状態にしておき、着信があった時および発呼をする際にはこれを開いて、レシーバを耳に当てて通話を行ったり、表示部を見ながら操作ボタンによって操作を行う。
【０００５】
このような折り畳み式携帯電話装置において、特開平５−９１１７２号公報には、使用時以外の電源の切り忘れを防止して消費電力を低減するために、２つの筐体の開閉に伴って自動的に電源をオン、オフするものが開示されている。この従来例では、筐体の一方に電源スイッチを設け、筐体を開いたときに電源が無条件にオンし、閉めることにより電源がオフする構成となっている。
【０００６】
【発明が解決しようとする課題】
携帯電話装置の普及とともに、使用に際しての周りの人々への配慮や、他の電子機器へ及ぼす影響等が社会問題となり、例えば電車や公共施設の中、さらに病院等において携帯電話装置の電源を切るように求められることが多くなってきている。
【０００７】
このようなとき従来の折り畳み式携帯電話装置では、折り畳んで携帯している状態の筐体を開き、電源スイッチを押して電源を切る操作を行う。その後、場所を移動するなどして使用可能な状態となり、待ち受けまたは発呼のために電源を入れようとする場合には、再び筐体を開いて電源スイッチを数秒間押下するなどの操作をしなければならない。よって、電源のオン、オフの度にまず携帯電話装置の筐体を開き、さらに電源スイッチを操作するという二度の手間を要し、操作が煩雑となる問題点があった。また、このとき携帯電話装置の筐体を一旦開いたものの電源スイッチを入れ忘れてしまうと、待ち受けができないという不具合があった。
【０００８】
一方、特開平５−９１１７２号公報の携帯電話装置のように、筐体の開閉で電源のオン、オフ両方を行う構成では、携帯電話装置の筐体を閉じた状態のときは常に電源が切れてしまうことになり、通常閉じて持ち歩く際に待ち受けができないという問題点がある。
【０００９】
本発明は、上記事情に鑑みてなされたもので、その目的は、折り畳み式の筐体を有する携帯端末装置において、電源をオフにして閉じられた状態の筐体を再び開く際に、電源投入操作不要で自動的に電源をオンすることが可能であり、電源の入れ忘れを防止でき、操作性の向上を図ることが可能な携帯端末装置を提供することにある。
【００１０】
【課題を解決するための手段】
本発明は、筐体を開閉可能に構成した携帯端末装置であって、前記筐体の開閉を検出する筐体開閉検出手段と、前記電源をオンまたはオフに制御する電源スイッチ手段と、前記携帯端末装置の電源の状態を検出する電源状態検出手段と、前記電源スイッチ手段が前記電源をオフに制御し、前記電源状態検出手段が電源がオフであると検出すると共に、前記筐体開閉検出手段が前記筐体が閉じた状態から開いた状態に変化したことを検出すると、前記電源をオフからオンに制御する自動電源制御手段と、を備えるものである。
【００１１】
上記構成によれば、携帯端末装置の開閉状態に応じて、電源スイッチ制御手段により電源のオン、オフを行うことができ、例えば電源をオフにして閉じられた状態の筐体を再び開く際に、電源投入操作不要で自動的に電源をオンすることが可能となる。このため、例えば携帯電話装置において、筐体を閉じた状態から使用する際に、筐体の開閉とともに電源スイッチを操作するような煩雑な操作が不要であり、また、待ち受けする場合などに電源の入れ忘れを防止でき、操作性の向上を図れる。
【００１６】
また、好ましくは、所定時間を計測する計時手段を備え、前記自動電源制御手段は、前記筐体開閉検出手段により前記筐体が閉じた状態から開いた状態となったことが検出されたときに、前記計時手段による計時を開始させ、前記筐体が開いた状態が維持されたまま前記計時手段により所定時間が計時されたときに、前記電源をオフからオンに制御するものを含む。
また、好ましくは、前記電源スイッチ手段は、前記筐体を開いた状態のときに露出し、閉じた状態のときに内側に位置するものを含む。
【００１７】
上記構成によれば、例えば閉じた筐体が意図せずに開いた際に、電源がオンされてしまうような誤動作を防ぐことが可能である。
【００１８】
【発明の実施の形態】
以下、図面を参照して本発明の実施の形態を説明する。本実施形態では、携帯端末装置の一構成例として折り畳み式の携帯電話装置を例示する。
【００１９】
図１は本発明の実施形態に係る携帯電話装置の外観構成を示す斜視図、図２は本発明の実施形態に係る携帯電話装置の主要部の機能構成を示すブロック図である。
【００２０】
図１に示すように、本実施形態の携帯電話装置１は、上部筐体２、下部筐体３、これら両筐体２，３をそれぞれ一方の端部で折り畳み可能に結合するヒンジ４、第一の電源スイッチ５、キー操作部６、及び液晶表示部７を有して構成されている。
【００２１】
ここで、第一の電源スイッチ５は、例えばボタン形状をした押ボタンスイッチであり、携帯電話装置１の電源がオフ状態のときには数秒間押下することによりオン状態とすることができ、オン状態のときには押下操作によって逆にオフ状態にすることができる機能を有する。この第一の電源スイッチ５は、上部筐体２と下部筐体３を開いたときにのみ操作できる構造となっている。以下、第一の電源スイッチ５がオン状態とは携帯電話装置１の電源がオン状態、第一の電源スイッチ５がオフ状態とは携帯電話装置１の電源がオフ状態であるとする。
【００２２】
また、図２に示すように、携帯電話装置１は、第一の電源スイッチ（第一の電源スイッチ手段）５と、上部筐体２と下部筐体３の開閉状態を検出する筐体開閉センサ（筐体開閉検出手段）８と、第一の電源スイッチ５に並列接続され、筐体開閉センサ８により両筐体２，３が開いたことを検出した際にオンする第二の電源スイッチ（第二の電源スイッチ手段）９と、第一の電源スイッチ５及び第二の電源スイッチ９が互いに競合しないように制御する電源スイッチ制御部（スイッチ制御手段）１０と、筐体開閉センサ８の出力信号に応じて時間を計測するタイマ（計時手段）１１とを備えている。
【００２３】
次に、以上のように構成された携帯電話装置の電源スイッチに関する動作を説明する。図３は本発明の第１実施形態に係る携帯電話装置の動作手順を示すフローチャートである。
【００２４】
まず、ステップＳ３１において、電源スイッチ制御部１０は、携帯電話装置に電源が入っているかどうかを第一の電源スイッチ５の状態により判断する。そして、電源がオン状態である場合（ステップＳ３１のＮＯ）には、電源スイッチ制御部１０によって第二の電源スイッチ９が作動しないように制御する（ステップＳ３２）。電源オンの場合は、電源スイッチ制御部１０による第二の電源スイッチ９の作動をロックし、筐体の開閉によって携帯電話装置の電源がオフ、オンされることを回避する。
【００２５】
一方、第一の電源スイッチ５がオフ状態である場合（ステップＳ３１のＹＥＳ）には、ステップＳ３３において筐体開閉センサ８により上部筐体２と下部筐体３の開閉状態を検出する。
【００２６】
このとき両筐体２，３が開いていれば（ステップＳ３３のＮＯ）、ステップＳ３１に戻る。一方、両筐体２，３が閉じた状態であれば（ステップＳ３３のＹＥＳ）、ステップＳ３４に進む。
【００２７】
次いで、ステップＳ３４において、両筐体２，３が閉じた状態から開いた状態に移行したことが筐体開閉センサ８によって検出されると（ステップＳ３４のＹＥＳ）、電源スイッチ制御部１０は第二の電源スイッチ９をオンにする（ステップＳ３５）。その後ステップＳ３１に戻る。一方、両筐体２，３が閉じたまま（ステップＳ３４のＮＯ）のときは、筐体開閉センサ８によって両筐体２，３が開いたことが検出されるまで開閉動作の検出を継続する。
【００２８】
このような構成により、本実施形態では、例えば携帯電話装置の使用の自粛を求められた場所等において、使用者が自主的に、或いは求めに応じて携帯電話装置１の第一の電源スイッチ５を操作して電源を切って両筐体２，３を閉じた後に、発呼、待ち受け開始、或いはその他の操作のために再び上部筐体２と下部筐体３を開くと、電源投入操作無しに自動的に携帯電話装置１の電源が入るようになる。
【００２９】
したがって、本実施形態によれば、電源をオフ状態にして閉じた筐体２，３を、使用に際して開くだけで自動的に電源をオンにすることが可能となり、第一の電源スイッチ５の押下操作を改めて行う手間を省くことができる。このため、簡便かつ迅速に携帯電話装置の操作を開始することができ、操作性が向上する。また、筐体を開いたものの電源投入操作をし忘れた場合に、待ち受け状態にならないという不具合を防止することができる。
【００３０】
また、図４は本発明の第２実施形態に係る携帯電話装置の動作手順を示すフローチャートである。この第２実施形態は、図１に示したタイマ１１により第二の電源スイッチ９の動作時限を制御するものである。図４において、ステップＳ４１〜Ｓ４４に至る手順は、図３のステップＳ３１〜Ｓ３４と同様である。
【００３１】
すなわち、まず、ステップＳ４１において、携帯電話装置に電源が入っているかどうかを第一の電源スイッチ５の状態により判断する。そして、電源がオン状態である場合（ステップＳ４１のＮＯ）には、電源スイッチ制御部１０によって第二の電源スイッチ９を作動不能に制御する（ステップＳ４２）。一方、第一の電源スイッチ５がオフ状態である場合（ステップＳ４１のＹＥＳ）には、ステップＳ４３において筐体開閉センサ８により上部筐体２と下部筐体３の開閉状態を検出する。このとき両筐体２，３が開いていれば（ステップＳ４３のＮＯ）、ステップＳ４１に戻る。一方、両筐体２，３が閉じた状態であれば（ステップＳ４３のＹＥＳ）、ステップＳ４４に進む。
【００３２】
ステップＳ４４において、両筐体２，３が閉じた状態から開いた状態に移行したことが筐体開閉センサ８によって検出されると、ステップＳ４５においてタイマ１１により時間の計測を開始する。一方、両筐体２，３が閉じたまま（ステップＳ４４のＮＯ）のときは、筐体開閉センサ８によって両筐体２，３が開いたことが検出されるまで開閉動作の検出を継続する。
【００３３】
次いで、ステップＳ４６において、筐体開閉センサ８により一旦開いた両筐体２，３が再び閉じられたかどうかを検出する。そして、両筐体２，３が閉じられたことが検出されたとき（ステップＳ４６のＹＥＳ）はステップＳ４４に戻り、両筐体２，３が開いたことが検出されるまで開閉動作の検出を継続する。
【００３４】
続いて、ステップＳ４７において、両筐体２，３が開いたまま（ステップＳ４６のＮＯ）で、タイマ１１の計測時間が予め定めた所定時間に達したかどうかを検出する。そして、所定時間に達していればステップＳ４８において、電源スイッチ制御手段１０により第二の電源スイッチ９が制御され、携帯電話装置１の電源がオンされる。その後ステップＳ４１に戻る。
【００３５】
一方、ステップＳ４７において、タイマ１１の計測時間が所定時間に達しない場合はステップＳ４６に戻り、ステップＳ４７で所定時間の経過が検出されるまでステップＳ４６において両筐体２，３が再び閉じたかどうか開閉動作の検出を継続する。
【００３６】
このような構成により、本実施形態では、携帯電話装置の使用の自粛を求められた場所等において、使用者が一旦電源を切って筐体を閉じた後、例えば鞄の中などに入れて移動中などに不用意に筐体が開いてしまったような場合においても、直ちに電源がオンしてしまうという不都合を防ぐことができる。
【００３７】
【発明の効果】
以上説明したように本発明によれば、折り畳み式の筐体を有する携帯端末装置において、電源をオフにして閉じられた状態の筐体を再び開く際に、電源投入操作不要で自動的に電源をオンすることが可能であり、電源の入れ忘れを防止でき、操作性の向上を図ることが可能となる。
【図面の簡単な説明】
【図１】本発明の実施形態に係る携帯電話装置の外観構成を示す斜視図である。
【図２】本発明の実施形態に係る携帯電話装置の主要部の機能構成を示すブロック図である。
【図３】本発明の第１実施形態に係る携帯電話装置の動作手順を示すフローチャートである。
【図４】本発明の第２実施形態に係る携帯電話装置の動作手順を示すフローチャートである。
【符号の説明】
１  携帯電話装置
２  上部筐体
３  下部筐体
４  ヒンジ
５  第一の電源スイッチ
６  キー操作部
７  液晶表示部
８  筐体開閉センサ
９  第二の電源スイッチ
１０  電源スイッチ制御部
１１  タイマ
【図１】
0004094329.tif 000002
【図２】
0004094329.tif 000003
【図３】
0004094329.tif 000004
【図４】
0004094329.tif 000005